(57)【特許請求の範囲】
【請求項１】
浴槽の周縁のフランジに吐水装置を設置し、湯水を滝状に浴槽内に向けて落とし込む幅広の吐水口を吐水装置に設け、吐水口の真下部の浴槽の壁面に浴槽に向けて開口したオーバーフロー口を設け、吐水口をオーバーフロー口よりも幅広く形成したことを特徴とする浴槽の構造。
【請求項２】
オーバーフロー口をオーバーフロー室に連通させ、オーバーフロー室の下面を隠すための立上がり壁をオーバーフロー口の下端に亘って形成したことを特徴とする請求項１に記載の浴槽の構造。
【発明の詳細な説明】
【０００１】
【発明の属する技術分野】
本発明は、滝状に湯水を落とし込む吐水装置を浴槽の周縁のフランジに設置された浴槽の構造に関する発明である。
【０００２】
【従来の技術】
従来から、一般的に浴槽に張られた湯水をフランジを超えてこぼれさせないようにオーバーフロー装置を設置して浴槽内の湯水を調整した浴槽はあるものである。そして、一般的にオーバーフロー装置はフランジ近傍の浴槽の壁面の上部にオーバーフロー口を設置させるものが多いものである。
【０００３】
【発明が解決しようとする課題】
しかしながら、一般的にオーバーフロー口は浴槽の壁面の上部に穿設して形成されるものであり、一体的な浴槽の外観を損なわせるものであった。また、浴槽に張られた湯水の上面にはごみや汚れが浮きやすいものであり、その部分の湯水を取り込むオーバーフロー装置は汚れやごみ等が付着しやすいものであるために、浴槽の外観を悪くさせるものである。
【０００４】
本発明は上記の点に鑑みてなされたものであり、清潔感を持たせて外観を向上させた浴槽の構造を提供することを課題とするものである。
【０００５】
【課題を解決するための手段】
上記課題を解決するために本発明に係る浴槽の構造は、浴槽１の周縁のフランジ２に吐水装置３を設置し、湯水を滝状に浴槽１内に向けて落とし込む幅広の吐水口４を吐水装置３に設け、吐水口４の真下部の浴槽１の壁面に浴槽１に向けて開口したオーバーフロー口５を設け、吐水口４をオーバーフロー口５よりも幅広く形成したことを特徴とする。これにより、オーバーフロー口５の真上に位置した吐水口４から浴槽１に向かって落とし込む滝状の湯水の背面にオーバーフロー口５が位置することにより、吐水装置３の正面側から見てオーバーフロー口５を吐水口４から出される滝状の湯水のかげに隠れて見えなくでき、浴槽１の外観が向上するものである。
【０００６】
また、本発明の請求項２に係る浴槽の構造は、請求項１において、オーバーフロー口５をオーバーフロー室７に連通させ、オーバーフロー室７の下面を隠すための立上がり壁８をオーバーフロー口５の下端に亘って形成したことを特徴とする。これにより、水あか等の汚れが付着しやすいオーバーフロー室７の下面がオーバーフロー口５の下縁に亘って設けられた立上がり壁８のかげに隠れてが外側から見えないものであり、浴槽１に清潔感を持たせた外観を確保できるものである。
【０００７】
【発明の実施の形態】
以下、図１及び２に本発明の実施の形態の例を示す。
【０００８】
浴槽１の周縁に亘ってフランジ２が形成され、フランジ２の上面に吐水装置３が設置されるものである。なお、本例では吐水装置３の前部が浴槽１に突出するように設置されているものである。吐水装置３はカバー体９が外郭を形成し、カバー体９の内部にフランジ２下方から延出された供給管路１０と供給管路１０が連通する整流タンク１１とが設けられたものである。カバー体９の前部下方には開口１２が設けられており、また、整流タンク１１の前部には幅広の吐水口４が設けられており、供給管路１０から供給される湯水は整流タンク１１で一旦貯水された後に幅広の吐水口４からカバー体９の開口１２を介して浴槽１に向って幅広の滝状に落とし込まれるものである。ここで、供給管路１０はフランジ２下方に配設された配設管路（図示せず）とは別体に設けられているものであり、供給管路１０は水栓固定具１３を介してフランジ２下方に配設された配設管路と連通されたものである。なお、カバー体９の形状は限定されるものではないが、本例では矩形状の前部角を面取りした薄肉状の筐体に形成されたものである。また、フランジ２にカバー体９や整流タンク１１を安定載置する台片１４を形成することも好ましいものである。
【０００９】
上記の吐水装置３の真下部にはオーバーフロー室７が形成されているものである。オーバーフロー室７は内部に空間を有する箱部屋状のものであり、本例では、オーバーフロー室７は浴槽１の壁面から浴槽１と反対方向に延出された箱部１５にて浴槽１の壁面と一体に形成され、箱部１５の浴槽１と反対側の端部に位置した接着片１７をカウンター２の下面に接着剤でもって接着しているものである。オーバーフロー室７の下面には排水口６が穿設されているものであり、オーバーフロー室７の前部では浴槽１に連通する幅広の開口のオーバーフロー口５が形成されているものである。
【００１０】
オーバーフロー口５の下縁には立上がり壁８が形成されているものであり、立上がり壁８はオーバーフロー室７の下面よりも上方に突出して形成されたものである。オーバーフロー口５及びオーバーフロー室７は立上がり壁８を超えた浴槽１の湯水を排水口６に流すものであって、その際に浴槽１に張られた湯水の水面に浮かんだごみや汚れを一緒に流すことができるものである。従って、オーバーフロー口５及びオーバーフロー室７は通常使用される際に浴槽１に張られる湯水の水面に合わせて位置決めされたり、浴槽１の湯水がフランジ２を超えて洗い場等に零れ落ちないように浴槽１の壁面の上部付近に位置決めされることが好ましいものである。立上がり壁８を超えてオーバーフロー室７に入った湯水は上述したようにオーバーフロー室７の下面に設けられた排水口６から排出されるものである。なお、上記排出される湯水は再利用されることも好ましく、例えば、排水口６をろ過装置等に連通させて湯水をろ過等で洗浄し、洗浄した湯水を吐水装置３に連通する供給管路１０に供給するような循環管路を形成して、浴槽１に吐水される湯水として再び浴水に利用されることも好ましいものである。
【００１１】
上記のように、浴槽１のフランジ２に吐水装置３を設置し、吐水装置３の真下部にオーバーフロー室７を位置させ、幅広の開口の吐水口４が幅広の開口のオーバーフロー口５よりも幅広く形成したことより、吐水口４から浴槽１に向かって落とし込むように吐水される滝状の湯水の背面にオーバーフロー口５が位置することになり、吐水装置３の正面側から見てオーバーフロー口５が吐水口４から出される滝状の湯水のかげに隠れて見えないものであり、浴槽１の外観が向上するものである。更に、オーバーフロー口５の下縁に亘って立上がり壁８を形成したことから、オーバーフロー室７の下面に設けられた排水口６は水あか等の汚れが付着しやすい部分であるが、オーバーフロー口５の下縁に亘って設けられた立上がり壁８のかげに隠れてオーバーフロー室７の下面及び排水口６が外側から見えないものであり、浴槽１に清潔感を持たせた外観を確保できるものである。
【００１２】
【発明の効果】
上記のように本発明の請求項１記載の浴槽の構造にあっては、浴槽の周縁のフランジに吐水装置を設置し、湯水を滝状に浴槽内に向けて落とし込む幅広の吐水口を吐水装置に設け、吐水口の真下部の浴槽の壁面に浴槽に向けて開口したオーバーフロー口を設け、吐水口をオーバーフロー口よりも幅広く形成したので、オーバーフロー口の真上に位置した吐水口から浴槽に向かって落とし込む滝状の湯水の背面にオーバーフロー口が位置することになり、吐水装置の正面側から見てオーバーフロー口を吐水口から出される滝状の湯水のかげに隠れて見えなくでき、浴槽の外観が向上するものである。
【００１３】
また、本発明の請求項２記載の浴槽の構造は、請求項１の効果に加えて、オーバーフロー口をオーバーフロー室に連通させ、オーバーフロー室の下面を隠すための立上がり壁をオーバーフロー口の下端に亘って形成したので、水あか等の汚れが付着しやすいオーバーフロー室の下面がオーバーフロー口の下縁に亘って設けられた立上がり壁のかげに隠れて外側から見えなくすることができるものであり、浴槽に清潔感を持たせた外観を確保できるものである。
【図面の簡単な説明】
【図１】本発明の実施の形態の断面側面図である。
【図２】同上の斜視図である。
【符号の説明】
１  浴槽
２  フランジ
３  吐水装置
４  吐水口
５  オーバーフロー口
６  排水口
７  オーバーフロー室
８  立上がり壁
９  カバー体
１０  供給管路
１１  整流タンク
１２  開口
１３  水栓固定具
【図１】
0003591408.tif 000002
【図２】
0003591408.tif 000003